(57)【要約】【課題】折りを行う際の記録媒体の選択を適正化することにより、操作性の高い画像形成システムを提供する。【解決手段】画像サイズ及び折り設定に基づいて、複数の記録媒体収容手段の中から一の記録媒体収容手段を選択し、選択された記録媒体収容手段に収容される記録媒体に対し画像情報を画像形成し、画像形成された記録媒体に対し折り手段により折りを施す。【選択図】図５
2007091465.tif 000002
【特許請求の範囲】
【請求項１】
記録媒体を収容する複数の記録媒体収容手段と、
画像情報が入力される画像入力手段と、
画像入力手段により入力される画像情報に基づいて記録媒体に画像を形成する画像形成手段と、
画像形成手段により画像形成された記録媒体に対して折りを施す折り手段と、
画像入力手段により入力される画像情報の画像サイズを取得する画像サイズ取得手段と、
折り設定が入力される折り設定入力手段と、
前記画像サイズ取得手段により取得された画像サイズ及び前記折り設定入力手段による折り設定に基づいて、前記複数の記録媒体収容手段の中から一の記録媒体収容手段を選択し、選択された記録媒体収容手段に収容される記録媒体に対し前記画像入力手段により入力された画像情報を前記画像形成手段により画像形成し、画像形成された記録媒体に対し前記折り手段により折りを施すように制御する制御手段と、
を有することを特徴とする画像形成システム。
【請求項２】
前記制御手段は、前記画像サイズ取得手段により取得された画像サイズに基づいて記録媒体のサイズを決定し、決定された記録媒体のサイズと前記折り設定入力手段により入力された折り設定とに基づいて前記複数の記録媒体収容手段の中から一の記録媒体収容手段を選択することを特徴とする請求項１に記載の画像形成システム。
【請求項３】
前記複数の記録媒体収容手段は、同サイズで向きの異なる記録媒体をそれぞれ収容する収容手段を含み、
前記制御手段は、前記決定された記録媒体のサイズが前記同サイズで向きが同じであり、前記折り設定入力手段により折りが設定されている場合には、前記同サイズで向きの異なる記録媒体をそれぞれ収容する記録媒体収容手段のうち、前記折り手段により折りを施すことが可能な向きの記録媒体を収容する記録媒体収容手段を選択することを特徴とする請求項２に記載の画像形成システム。
【請求項４】
前記折り手段により折りを施すことが可能な記録媒体の種類のテーブルを記憶する記憶手段を有し、
前記制御手段は、前記記憶手段に記憶されたテーブルに基づいて前記折り手段により折りを施すことが可能な向きの記録媒体を収容する記録媒体収容手段を選択することを特徴とする請求項３に記載の画像形成システム。
【請求項５】
前記画像サイズ取得手段により取得された画像サイズに基づいて前記複数の記録媒体収容手段の中から一の記録媒体収容手段を選択する自動記録媒体選択を設定する自動記録媒体選択設定手段を有し、
前記自動記録媒体選択設定手段により自動記録媒体選択が設定された際に、前記制御手段は前記制御を行うことを特徴とする請求項１〜３の何れか一項に記載の画像形成システム。
【請求項６】
記録媒体を収容する複数の記録媒体収容手段と、
画像情報が入力される画像入力手段と、
画像入力手段により入力される画像情報に基づいて記録媒体に画像を形成する画像形成手段と、
画像入力手段により入力される画像情報の画像サイズを取得する画像サイズ取得手段と、
折り設定が入力される折り設定入力手段と、
前記画像サイズ取得手段により取得された画像サイズ及び前記折り設定入力手段による折り設定の入力に基づいて、前記複数の記録媒体収容手段の中から一の記録媒体収容手段を選択し、選択された記録媒体収容手段に収容される記録媒体に対し前記画像入力手段により入力された画像情報を前記画像形成手段により画像形成するように制御する制御手段と、
を有することを特徴とする画像形成装置。
【請求項７】
画像情報が入力されるステップと、
前記画像情報の画像サイズを取得するステップと、
折り設定が入力されるステップと、
前記画像サイズ及び前記折り設定に基づいて、複数の記録媒体収容手段の中から一の記録媒体収容手段を選択するステップと、
選択された記録媒体収容手段に収容される記録媒体に対し、前記画像情報を画像形成するステップと、
をコンピュータに実行させることを特徴とするプログラム。
【発明の詳細な説明】
【技術分野】
【０００１】
本発明は、画像形成システム、画像形成装置及びプログラムに関する。
【背景技術】
【０００２】
使用者の操作性向上のために、原稿サイズ及び倍率に基づいて、記録媒体を自動的に給紙カセットから選択して搬送してくれるＡＰＳ（自動記録媒体選択：Ａｕｔｏ  Ｐａｐｅｒ  Ｓｅｌｅｃｔ）機能を備える画像形成装置が知られている。
【０００３】
ＡＰＳ機能を備えた画像形成装置において、特許文献１には、画像形成途中に給紙カセット内の記録媒体が無くなった場合に、他に同サイズ同方向の記録媒体を収容する給紙カセットが無く同サイズ異方向の記録媒体を収容する給紙カセットがあれば、当該同サイズ異方向の記録媒体に画像を９０°回転させて画像形成することにより画像形成を継続させることが記載されている。
【特許文献１】特開平７−１２９０４３号公報
【発明の開示】
【発明が解決しようとする課題】
【０００４】
最近においては、折り機能を有する後処理装置が接続される画像形成装置も多く市販されている。
【０００５】
このような画像形成装置では、ＡＰＳ機能と折り機能とを併用した場合に、ＡＰＳ機能が折り処理を実行できない記録媒体を選択してしまうことがある。これにより、画像形成が中断することになる。
【０００６】
例えば、Ａ４縦（「縦」とは、記録媒体の短辺方向が記録媒体搬送方向に平行となっている状態での記録媒体の向きである）の原稿に対してＡ４縦の記録媒体が選択され３つ折り（折り目は、記録媒体の搬送方向と直交方向）を指定した場合には、一般には、Ａ４縦の記録媒体には３つ折りを行わないので、折りを実行できなくなってしまう。Ａ４縦の記録媒体は、Ａ４横の記録媒体と比べて搬送方向の長さが短く、機構上、折りが困難になるからである。
【０００７】
特許文献１は、使用中の記録媒体が無くなった時に画像形成を継続させるようにする技術であるが、折りを考慮して画像形成を継続させるものではない。
【０００８】
本発明は、上記問題に鑑みてなされたものであり、折りを行う際の記録媒体の選択を適正化することにより、操作性の高い画像形成システム、画像形成装置及びこれらに用いられるプログラムを提供することを目的とする。
【課題を解決するための手段】
【０００９】
本発明の画像形成システムは、記録媒体を収容する複数の記録媒体収容手段と、画像情報が入力される画像入力手段と、画像入力手段により入力される画像情報に基づいて記録媒体に画像を形成する画像形成手段と、画像形成手段により画像形成された記録媒体に対して折りを施す折り手段と、画像入力手段により入力される画像情報の画像サイズを取得する画像サイズ取得手段と、折り設定が入力される折り設定入力手段と、前記画像サイズ取得手段により取得された画像サイズ及び前記折り設定入力手段による折り設定に基づいて、前記複数の記録媒体収容手段の中から一の記録媒体収容手段を選択し、選択された記録媒体収容手段に収容される記録媒体に対し前記画像入力手段により入力された画像情報を前記画像形成手段により画像形成し、画像形成された記録媒体に対し前記折り手段により折りを施すように制御する制御手段と、を有することを特徴としている。
【００１０】
本発明の画像形成装置は、記録媒体を収容する複数の記録媒体収容手段と、画像情報が入力される画像入力手段と、画像入力手段により入力される画像情報に基づいて記録媒体に画像を形成する画像形成手段と、画像入力手段により入力される画像情報の画像サイズを取得する画像サイズ取得手段と、折り設定が入力される折り設定入力手段と、前記画像サイズ取得手段により取得された画像サイズ及び前記折り設定入力手段による折り設定の入力に基づいて、前記複数の記録媒体収容手段の中から一の記録媒体収容手段を選択し、選択された記録媒体収容手段に収容される記録媒体に対し前記画像入力手段により入力された画像情報を前記画像形成手段により画像形成するように制御する制御手段と、を有することを特徴としている。
【００１１】
本発明のプログラムは、画像情報が入力されるステップと、前記画像情報の画像サイズを取得するステップと、折り設定が入力されるステップと、前記画像サイズ及び前記折り設定に基づいて、複数の記録媒体収容手段の中から一の記録媒体収容手段を選択するステップと、選択された記録媒体収容手段に収容される記録媒体に対し、前記画像情報を画像形成するステップと、をコンピュータに実行させることを特徴としている。
【発明の効果】
【００１２】
本発明によれば、折りが設定されている場合に、同サイズの中でも折りが可能な記録媒体を選択するようにしたので、折りのできない記録媒体が選択されて無駄に画像形成が中断されてしまうことがなくなり、操作性を高めることができる。
【発明を実施するための最良の形態】
【００１３】
（システム構成）
図１は、本実施形態における画像形成システムの構成図である。本実施形態における画像形成システムは、画像形成装置２０に自動原稿送り装置（ＡＤＦ）３０及び後処理装置４０が接続されている。
【００１４】
画像形成装置２０は、画像形成手段１１、給紙カセット１２、画像読取手段１３、記録媒体搬送手段１４、コントロールパネルＣＰ等を備えている。
【００１５】
画像形成手段１１は、感光体ドラム５、感光体ドラム５を一様に帯電する帯電手段６、画像情報に基づき感光体ドラム５に静電潜像を形成するための露光光を照射する露光手段ＥＣ、感光体ドラム５に形成された静電潜像をトナー像として顕像化する現像手段７、感光体ドラム５に形成されたトナー像を記録媒体Ｐ等に転写する転写分離手段８、トナー像が記録媒体Ｐ等に転写された後、感光体ドラム５に残留するトナーや紙粉等を掻き落とすためのクリーニング手段９、及び、転写されたトナー像を記録媒体Ｐに溶融固着するための定着手段１０等により構成されている。
【００１６】
給紙カセット１２は、複数の給紙カセット（１２ａ、１２ｂ）から構成されている。
【００１７】
画像読取手段１３は、光源ＬＴ、ミラー群ＭＲ、結像レンズＬＺ等からなる読取光学系と、ＣＣＤ（固体撮像素子）等を含む電気回路からなる読取装置ＥＳとで構成され、筐体１の上部に設けられたプラテンガラス（図示せず）上に載置した原稿や自動原稿送り装置３０により読取位置に搬送された原稿の画像情報を読み取る。読み取られた画像情報から原稿サイズを取得することができる。
【００１８】
記録媒体搬送手段１４は、複数のローラ、ガイド部材、ローラやガイド部材を駆動するモータ等により構成され、直進搬送経路Ｘ１と循環搬送経路Ｘ２における記録媒体の搬送を行う。直進搬送経路Ｘ１は、給紙カセット１２から画像形成手段１１を経由し排紙に至るまでの経路であり、循環搬送経路Ｘ２は、片面に画像が形成された記録媒体を再び画像形成手段に向けて搬送する経路である。
【００１９】
コントロールパネルＣＰは、タッチパネル式の操作表示部ＤＰ、キーボードＫＢ、スタートボタンＳＫ等で構成され、画像形成条件、後処理等の設定が行われる。
【００２０】
ＡＤＦ３０は、原稿搬送部３１、原稿載置台３２、排紙部３３等から構成されている。原稿載置台３２に載置された原稿ＷＰは、原稿搬送部３１に設けられた複数のローラ等により読取位置に搬送されながら読取装置ＥＳで読み取られ、排紙部３３に排紙される。読取装置ＥＳで原稿ＷＰを読み取る際に、原稿の幅と長さをセンサで検出すれば、原稿サイズを取得することができる。
【００２１】
後処理装置４０は、右側面部に画像形成装置２０から排紙される記録媒体を受け入れる搬入口４３を有し、左側面部にカバーシート給紙部ｎ４、排紙トレイｎ９、排紙トレイｎ１０を有している。筐体４１の内部には、パンチ部ｎ５、中間スタッカｎ６、ステープラｎ７、折り装置ｎ８が設けられ、又、搬送路Ｒ５〜Ｒ１４が設けられている。
【００２２】
後処理を行わない場合には、搬入口４３に搬入されてきた記録媒体は、搬送路Ｒ５、Ｒ８を経由して排紙トレイｎ９に排出される。
【００２３】
ステープル、折りを行う場合は、搬入口４３に搬入されてきた記録媒体は、搬送路Ｒ５、Ｒ９を経由して中間スタッカｎ６へスタックされる。カバーシートＫを用いる場合には、カバーシートＫをカバーシート給紙部ｎ４からＲ６、Ｒ７、Ｒ９を経由して中間スタッカｎ６に供給する。中間スタッカｎ６では、スタックされた記録媒体束の整合が行われる。
【００２４】
ステープルを行う場合は、中間スタッカｎ６で整合された記録媒体束をステープラｎ７により綴じた後に、搬送路Ｒ１０を経由して排紙トレイｎ９へ排出する。
【００２５】
折りを行う場合は、中間スタッカｎ６で整合された記録媒体束を搬送路Ｒ１１を経由して折り装置ｎ８に搬送し、折り装置ｎ８で折りを行った後に搬送路Ｒ１２を経由して排紙トレイｎ１０に排出する。
【００２６】
（制御構成）
図２は、本実施形態における画像形成装置の制御構成図である。画像形成装置２０は、ＣＰＵ１１０を中心に以下の各部により構成される。
【００２７】
ＣＰＵ１１０は、記憶手段１６０のＲＯＭに記憶されている画像形成装置２０を制御するための制御プログラムやプログラムを実行するために必要なデータ等を記憶手段１６０のＲＡＭに展開し、展開したプログラム及びデータに基づき、画像形成装置２０の各種手段及び回路を制御する。
【００２８】
情報制御回路１２０は、ＣＰＵ１１０の指示に基づき、入出力情報の制御を行う。情報制御回路１２０は、インタフェース（Ｉ／Ｆ）１３０を介してパーソナルコンピュータ、他の画像形成装置、サーバー等の外部情報機器５００と接続され、外部情報機器５００から入力される画像情報、及び画像形成条件や後処理条件等の画像形成モード等に関する設定情報を取得する。取得された画像情報及び設定情報は、記憶手段１６０に記憶される。また、情報制御回路１２０は、コントロールパネルＣＰ内の、操作入力手段２００として機能する操作表示部ＤＰ、キーボードＫＢ、スタートボタンＳＫ、及び表示手段３００として機能する操作表示部ＤＰに接続され、操作入力手段２００から設定情報を取得したり表示手段３００に表示情報を出力する。設定情報は、操作入力手段２００から、又はＩ／Ｆ１３０を介して外部情報機器５００から入力される。また、画像情報は、画像読取手段１３から、又はＩ／Ｆ１３０を介して外部情報機器５００から入力されることになる。
【００２９】
画像処理回路１４０は、ＣＰＵ１１０の指示に基づき、画像読取手段１３が読み取った原稿の画像情報を、例えば、デジタル変換して、画像データとして圧縮して記憶手段１６０に記憶させたり、或いは、画像形成手段１１が画像を形成する際に、記憶手段１６０に記憶されている画像データを伸張して画像形成手段１１の画像形成方式に適したデータや信号等に変換する回路である。
【００３０】
駆動制御回路１５０は、ＣＰＵ１１０の指示に基づき、画像形成手段１１、画像読取手段１３、記録媒体搬送手段１４、ＡＤＦ３０、後処理装置４０、等を予め設定された動作モードに基づき、適切なタイミングで動作させ画像形成動作を行なわせるための回路である。
【００３１】
記憶手段１６０は、画像を形成するために必要な画像情報及び画像形成条件等からなる設定情報、各種回路や各種手段を動作させるためのパラメータ、各種回路や各種手段に設けられたセンサ等から出力される各種情報、画像形成装置２０が実行するための各種設定モードのプログラム、等の情報を記憶するようになっている。
【００３２】
（制御概要）
本実施形態においては、情報制御回路１２０は、操作入力手段２００又は外部情報機器５００により、ＡＰＳ機能を実行するＡＰＳモードが選択設定されたか否か、また、折りを施す折りモードが選択されたか否か等を判断し、ＡＰＳモードや折りモードが選択されている場合は、ＡＰＳモードや折りモードが設定されていることをＣＰＵ１１０に入力する。
【００３３】
ＡＰＳモードが設定されている場合は、ＣＰＵ１１０は、プラテンガラス上に載置された原稿の載置方向や原稿サイズ等を検出して、あるいは外部情報機器５００から入力される設定情報から、原稿のサイズや載置方向を検出する。ＣＰＵ１１０は、複数の給紙カセット１２の中から原稿と一致するサイズや載置方向に対応する記録媒体があるか否かを検索し、対応する記録媒体があれば、画像形成手段１１に向けて給紙搬送するように記録媒体搬送手段１４に指示する。例えば、給紙カセット１２に、給紙カセット１２に収容されている記録媒体のサイズや載置方向を出力できるセンサが設けられている。
【００３４】
ＡＰＳモードと折りモードが選択設定され、プラテンガラス上に載置された原稿の載置方向が縦位置で、３つ折りの設定された場合は、ＡＰＳモードでは、縦位置の記録媒体が選択されることになる。しかしながら、本実施形態の画像形成装置においては、縦位置の記録媒体に対する３つ折りの実施は禁止する設定となっている。
【００３５】
記憶手段１６０には、後処理装置の構造等により、例えば、縦位置の記録媒体は３つ折りが禁止されるというような、折りが設定された場合の給紙可能な記録媒体の制約条件を示すテーブルが記憶されている。このテーブルについては、図４（Ｃ）を用いて後述する。
【００３６】
従って、このような場合は、ＣＰＵ１１０は、給紙カセット１２に収容されている記録媒体のサイズや方向を検索し、少なくとも原稿とサイズが同じで折りが可能な方向の記録媒体、つまり３つ折りの場合には横位置の記録媒体（異方向の記録媒体ともいう。）がある場合は、原稿の画像情報を異方向の記録媒体に対して画像回転等の画像処理を施して画像を形成した後に、異方向の記録媒体に対して、３つ折りを施して出力する。
【００３７】
（条件設定）
図３及び図４を参照して、画像形成条件や後処理条件等の条件設定について説明する。なお、図３、図４（Ａ）及び図４（Ｂ）は、操作表示部ＤＰ又は外部情報機器５００の表示手段に表示される。以下の説明では、画像形成条件や後処理条件等の入力を操作入力手段２００から行う場合について説明するが、外部情報機器５００で入力する場合にも、同様に実施が可能である。
【００３８】
図３は操作表示部ＤＰに表示される基本設定画面を示し、図４は基本設定画面を操作することにより表示される各種設定画面を示している。図４（Ａ）は紙折りの設定画面であり、図４（Ｂ）は用紙の設定画面である。なお、図４（Ｃ）は、折りが設定されている場合における、複数の給紙カセット１２に収容されている記録媒体の組み合わせと、そのときに給紙可能な記録媒体を示すテーブルであり、記憶手段１６０に記憶されている。
【００３９】
タッチパネル方式の操作表示部ＤＰでは、図３に示す基本設定画面により、例えば、画像形成条件として濃度、用紙、倍率、及び片面／両面等の印字モード等が設定でき、更に、後処理条件として、例えば、紙折りを設定することができる。
【００４０】
紙折りの条件を設定する場合は、図３に示す基本設定画面の下方に表示される「紙折り」ボタンを押すことにより、図４（Ａ）に示す紙折りの条件を示す画面表示が現れるので、例えば、「３つ折り  内印字」ボタンを押した後にＯＫボタンを押すと、後処理モードとして３つ折り内印字モードを設定することができる。
【００４１】
また、図３に示す基本設定画面の中程にある「用紙」ボタンを押すと、図４（Ｂ）の用紙設定画面が表れ、例えば、給紙カセット番号１〜５に対応して収容されている記録媒体のＡ４（Ａ４縦）、Ａ４Ｒ（Ａ４横）等の用紙サイズや用紙の方向を示す用紙選択ボタンが表示が示される。そこで、「Ａ４」や「Ａ４Ｒ」等の用紙選択ボタンを押した後に「ＯＫ」ボタンを押すと、用紙選択ボタンで選択したＡ４やＡ４Ｒ等の用紙としての記録媒体が選択されるようになっている。
【００４２】
また、ＡＰＳモードを設定する場合は、図４（Ｂ）の用紙設定画面において、「ＡＰＳ」ボタンを押した後に、「ＯＫ」ボタンを押すとＡＰＳモードが設定され、画像形成動作を行う場合に、自動的に原稿の載置方向やサイズと一致する記録媒体が選択され給紙搬送されるようになっている。
【００４３】
図４（Ｃ）は、折りが設定されている場合における、複数の給紙カセット１２に収容されている記録媒体の組み合わせと、そのときに給紙可能な記録媒体を示すテーブルである。第１のトレイである給紙カセットａにはＡ４サイズ（Ａ４縦）の記録媒体が収容でき、第２のトレイである給紙カセットｂにはＡ４Ｒサイズ（Ａ４横）の記録媒体が収容できるようになっている。
【００４４】
また、給紙カセットａ及びｂに対応する行に示される○は記録媒体が収容されている状態を示し、×は記録媒体が収容されていない状態を示している。
【００４５】
以下、一例として、原稿はＡ４（Ａ４縦）で、後処理として３つ折りが設定され、又、Ａ４（Ａ４縦）の記録媒体は３つ折り不可で、Ａ４Ｒ（Ａ４横）の記録媒体は３つ折り可能な場合について説明する。
【００４６】
図４（Ｃ）の１行目の場合は、Ａ４及びＡ４Ｒの何れの記録媒体も無いので、何れの記録媒体も給紙できない。
【００４７】
２行目の場合は、Ａ４の記録媒体は無いがＡ４Ｒの記録媒体は有る。Ａ４Ｒの記録媒体は３つ折り可能なので、Ａ４Ｒの記録媒体が給紙される。原稿の画像情報を９０°回転させてＡ４Ｒの記録媒体に画像形成を実行した後に、３つ折りを行う。
【００４８】
３行目の場合は、Ａ４の記録媒体は有るがＡ４Ｒの記録媒体は無い。Ａ４の記録媒体はは３つ折り不可なので、いずれの記録媒体も給紙されない。
【００４９】
４行目の場合は、Ａ４及びＡ４Ｒの何れの記録媒体も有る。Ａ４の記録媒体は３つ折り不可であるがＡ４Ｒの記録媒体は３つ折り可能なので、Ａ４Ｒの記録媒体が給紙される。原稿の画像情報を９０°回転させてＡ４Ｒの記録媒体に画像形成を実行した後に、３つ折りを行う。
【００５０】
（記録媒体設定フロー）
図５により、本実施形態の記録媒体設定フローについて説明する。このフローは、記憶手段１６０のＲＯＭに記憶されているプログラムに基づいて、ＣＰＵ１１０により実行される。
【００５１】
一例として、原稿はＡ４（Ａ４縦）で、ＡＰＳの設定及び３つ折りの設定がされ、又、Ａ４（Ａ４縦）の記録媒体は３つ折り不可で、Ａ４Ｒ（Ａ４横）の記録媒体は３つ折り可能な場合について説明する。既に、操作入力手段２００によりＡＰＳの設定及び３つ折りの設定がなされ、原稿ＷＰが原稿載置台３２に載置され、コントロールパネルＣＰのスタートボタンＳＫが押され、画像読取手段１３により画像情報が入力されるとともに、原稿ＷＰのサイズ及び載置方向がＡ４（Ａ４縦）と検出されているものとする。画像情報及び原稿のサイズや向き等の設定情報は、外部情報機器５００から入力される場合であってももちろん構わない。
【００５２】
まず、ＣＰＵ１１０は、原稿のサイズ及び載置方向と同一であるＡ４縦の記録媒体を収容する給紙カセット１２が存在するか否かを判断する（ステップＳ１）。ＣＰＵ１１０は、例えば、給紙カセット１２に設けられている、給紙カセット１２に収容されている記録媒体のサイズ、載置方向、有無を出力できるセンサ、の出力を取得して判断する。
【００５３】
Ａ４縦の記録媒体を収容する給紙カセット１２が存在すると判断すると（ステップＳ１；Ｙｅｓ）、ＣＰＵ１１０は、紙折りの設定がされているか否かを判断する（ステップＳ２）。
【００５４】
Ａ４縦の記録媒体を収容する給紙カセット１２が存在しないと判断すると（ステップＳ１；Ｎｏ）、ＣＰＵ１１０は、異方向であるＡ４横の記録媒体を収容する給紙カセット１２が存在するか否かを判断する（ステップＳ３）。
【００５５】
ステップＳ２において、紙折りの設定がされていると判断すると（ステップＳ２；Ｙｅｓ）、ＣＰＵ１１０は、ステップＳ３に進み、異方向であるＡ４横の記録媒体を収容する給紙カセット１２が存在するか否かを判断する。
【００５６】
ステップＳ２において、紙折りの設定がされていないと判断すると（ステップＳ２；Ｎｏ）、ＣＰＵ１１０は、Ａ４縦の記録媒体を収容する給紙カセット１２を選択する（ステップＳ４）。
【００５７】
ステップＳ３において、Ａ４横の記録媒体を収容する給紙カセット１２が存在すると判断すると（ステップＳ３；Ｙｅｓ）、ＣＰＵ１１０は、Ａ４横の記録媒体を収容する給紙カセット１２を選択する（ステップＳ５）。
【００５８】
ステップＳ３において、Ａ４横の記録媒体を収容する給紙カセット１２が存在しないと判断すると（ステップＳ３；Ｎｏ）、ＣＰＵ１１０は、表示手段３００に記録媒体を補充する旨の表示を行う（ステップＳ６）。
【００５９】
本実施形態では、ＡＰＳ機能を有する画像形成装置の場合について説明したが、ＡＰＳ機能を有さない画像形成装置であっても適用可能である。例えば、使用者がマニュアルでＡ４縦の記録媒体を選択している場合に、紙折りの設定がされていれば、Ａ４横の記録媒体に変更する。
【００６０】
以上のように、本実施形態によれば、折りが設定されている場合に、同サイズの中でも折りが可能な記録媒体を選択するようにしたので、折りのできない記録媒体が選択されて無駄に画像形成が中断されてしまうことがなくなり、操作性を高めることができる。
【図面の簡単な説明】
【００６１】
【図１】本実施形態における画像形成システムの構成図である。
【図２】本実施形態における画像形成装置の制御構成図である。
【図３】本実施形態における基本操作画面の一例を示す模式図である。
【図４】本実施形態における設定画面の一例を示す模式図である。
【図５】本実施形態における記録媒体設定のフロー図である。
【符号の説明】
【００６２】
１１  画像形成手段
１２  給紙カセット
１３  画像読取手段
１４  記録媒体搬送手段
２０  画像形成装置
３０  自動原稿送り装置
４０  後処理装置
１１０  ＣＰＵ
１６０  記憶手段
２００  操作入力手段
５００  外部情報機器
【図１】
2007091465.tif 000003
【図２】
2007091465.tif 000004
【図３】
2007091465.tif 000005
【図４】
2007091465.tif 000006
【図５】
2007091465.tif 000007